(57)【要約】【課題】カバーに起因する隙間を抑制した水栓を提供する。【解決手段】壁に固定されて水を吐水する水栓本体部と、水栓本体部を覆うカバーと、記カバーを壁に固定するステーとを備える水栓であって、カバーは、水栓本体部を挟んで対向するように配置される左右の側面と、左右の側面の上端部又は下端部同士を接続して水栓本体部に沿って左右方向に延びるように配置される接続面とを有する第１カバー、および、水栓本体部を挟んで第１カバーと対向する位置に設けられ第１カバーとともに水栓本体部を覆う第２カバーを備え、カバーは第１カバーを介してステーに取り付け可能であり、第１カバーの左右の側面は、接続面に接続される側と反対側の位置に、ステーとの嵌合部を備え、嵌合部がステーに設けられた被嵌合部に嵌まることで、第１カバーの前後方向および左右方向の移動規制を行う。【選択図】図４
2018141339.tif 000002
【特許請求の範囲】
【請求項１】
壁に固定されて水を吐水する水栓本体部と、前記水栓本体部を覆うカバーと、前記カバーを壁に固定するステーと、を備える水栓であって、
前記カバーは、前記水栓本体部を挟んで対向するように配置される左右の側面と、前記左右の側面の上端部又は下端部同士を接続して前記水栓本体部に沿って左右方向に延びるように配置される接続面と、を有する第１カバー、および、水栓本体部を挟んで前記第１カバーと対向する位置に設けられ前記第１カバーとともに水栓本体部を覆う第２カバーを備え、
前記カバーは前記第１カバーを介して前記ステーに取り付け可能であり、
前記第１カバーの前記左右の側面は、前記接続面に接続される側と反対側の位置に、前記ステーとの嵌合部を備え、前記嵌合部が前記ステーに設けられた被嵌合部に嵌まることで、前記第１カバーの前後方向および左右方向の移動規制を行う、水栓。
【請求項２】
前記接続面は、前記左右の側面の下端部同士を接続し、前記嵌合部は、前記左右の側面の上部に設けられた上部嵌合部である、
請求項１に記載の水栓。
【請求項３】
前記左右の側面の下部または前記接続面に、前記ステーとの下部嵌合部が設けられ、前記下部嵌合部が、前記ステーに設けられた下部被嵌合部に嵌まることで、前記第１カバーの前後方向の移動規制を行う、
請求項２に記載の水栓。
【請求項４】
前記下部嵌合部は、左右方向に伸びる突起片を備え、前記ステーに設けられた前記下部被嵌合部は、前記突起片を前後方向に挟む溝部を形成した突起片受け部を備える、
請求項３に記載の水栓。
【請求項５】
前記上部嵌合部は、上方に突出する突起部を備え、前記ステーの前記被嵌合部は、前記突起部が挿入される開口部を形成した突起受け部を備える、
請求項２から４のいずれか１つに記載の水栓。
【請求項６】
前記左右の側面と前記ステーがスナップ式に固定され、前記第１カバーの上下方向の移動規制を行う、
請求項２から５のいずれか１つに記載の水栓。
【請求項７】
前記第１カバーは、前記ステーの下方から上方に向かって、前記ステーに取り付けられる
請求項２から６のいずれか１つに記載の水栓。
【発明の詳細な説明】
【技術分野】
【０００１】
本発明は、水栓に関する。
【背景技術】
【０００２】
従来の水栓には、例えば、特許文献１に記載されているものが知られている。特許文献１には、水栓本体部と、壁に取り付けられるステーと、水栓本体部を覆うようにステーに取り付けられるカバーとを備える水栓が記載されている。カバーは、ステーに取り付けられる第１カバーと、第１カバーとともに水栓本体部を覆う第２カバーとを備える。ステーは、左右に長く延びる板状の部材である。第１カバーはステーの左右端部を挟むように配置され、ステーの左右端部に対して嵌合する。
【先行技術文献】
【特許文献】
【０００３】
【特許文献１】特開２０１２−７２５５７号公報
【発明の概要】
【発明が解決しようとする課題】
【０００４】
水栓において、ステーと第１カバーの間や、第１カバーと第２カバーの間に隙間が生じると、当該隙間に水などが入り込み、内部の水栓本体部が汚れるおそれがある。カバーにおけるこのような隙間が生じないことが好ましい。カバーに起因する隙間を抑制することに関して、特許文献１に記載の構成では未だ改善の余地があると言える。
【０００５】
本発明の目的は、上記課題を解決することにあって、カバーにおける隙間を抑制した水栓を提供することにある。
【課題を解決するための手段】
【０００６】
上記目的を達成するために、本発明の水栓は、壁に固定されて水を吐水する水栓本体部と、前記水栓本体部を覆うカバーと、前記カバーを壁に固定するステーと、を備える水栓であって、前記カバーは、前記水栓本体部を挟んで対向するように配置される左右の側面と、前記左右の側面の上端部又は下端部同士を接続して前記水栓本体部に沿って左右方向に延びるように配置される接続面と、を有する第１カバー、および、水栓本体部を挟んで前記第１カバーと対向する位置に設けられ前記第１カバーとともに水栓本体部を覆う第２カバーを備え、前記カバーは前記第１カバーを介して前記ステーに取り付け可能であり、前記第１カバーの前記左右の側面は、前記接続面に接続される側と反対側の位置に、前記ステーとの嵌合部を備え、前記嵌合部が前記ステーに設けられた被嵌合部に嵌まることで、前記第１カバーの前後方向および左右方向の移動規制を行うことを特徴とする。
【発明の効果】
【０００７】
本発明によれば、カバーに起因する隙間を抑制した水栓を提供することができる。
【図面の簡単な説明】
【０００８】
【図１】本発明の実施形態にかかる水栓の斜視図
【図２】図１の水栓の分解図
【図３】ステーと第１カバーの取り付け前の斜視図
【図４】ステーと第１カバーの取り付け後の斜視図
【図５】図４におけるＡ１部の拡大図
【図６】図４におけるＡ１部の後方から見た拡大図
【図７】図４におけるＡ２部の拡大図
【図８】図４におけるＡ２部の下方から見た模式図
【発明を実施するための形態】
【０００９】
以下、本発明にかかる実施形態を図面に基づいて詳細に説明する。なお、以下の記載において、前後方向、左右方向、上下方向は、それぞれ、壁面と直交する方向（Ｘ方向）、壁面に沿った水平方向（Ｙ方向）、壁面に沿った鉛直方向（Ｚ方向）を示す。なお、水栓を壁面に取り付けた際、正面から見て水栓本体中心部より＋Ｙ方向を右、−Ｙ方向を左とする。
【００１０】
（実施形態）
図１、図２は、実施形態にかかる水栓１０の概略構成を示す図である。図１は水栓１０の斜視図であり、図２は水栓１０の分解図である。
【００１１】
図１に示すように、水栓１０は、水栓ユニット２０と、ハンドルユニット３０とを備える。水栓ユニット２０は、吐水を行うためのユニットである。ハンドルユニット３０は、水栓ユニット２０の吐水における吐水方向、吐水量、および湯水の混合度合いを変更可能にするユニットである。
【００１２】
図２に示すように、水栓ユニット２０は、水栓本体部２１と、ステー４０と、カバー２３とを備える。カバー２３は、第１カバー５０と、第２カバー６０とを備える。
【００１３】
水栓本体部２１は、湯水の流路を内部に有する部材であって、水栓ユニット２０の本体部を構成する。水栓本体部２１には２つの吐水口２２ａ、２２ｂが設けられる。本実施形態では、例えば、吐水口２２ａからはストレート吐水が行われ、吐水口２２ｂからはシャワー吐水が行われる。なお、吐水口２２ｂにはシャワーホースが接続されるが、ここでは省略する。
【００１４】
ステー４０は、壁（図示せず）に取り付けられる部材である。第１カバー５０は、水栓本体部２１を覆うようにステー４０に取り付けられる部材である。第２カバー６０は、第１カバー５０とともに水栓本体部２１を覆うように、水栓本体部２１に取り付けられる部材である。
【００１５】
図３は、ステー４０と第１カバー５０の取り付け前の斜視図である。ステー４０と第１カバー５０の取り付けは、ステー４０に対して第１カバー５０をＺ１方向にスライドさせて行う。なお、ステー４０および第１カバー５０は左右対称な構造であるため、以下、主に、左側の構造について説明を行い、右側の構造の説明は省略する。
【００１６】
ステー４０は板状の部材であって、水栓本体部２１を接続する湯水の配管を通す開口部４１を有する。また、前面の左側には、上下の隅に第１カバー５０との被嵌合部が設けられている。被嵌合部は、上部被嵌合部４２と、爪部４３と、下部被嵌合部４４とを備える。上部被嵌合部４２および爪部４３はステー４０の上部に設けられ、下部被嵌合部４４はステー４０の下部に設けられる。
【００１７】
第１カバー５０は、左右の側面５１と、接続面５２とを有し、接続面５２に対向する側は開放している。左右の側面５１は、水栓本体部２１を挟んで対向するように配置される一対の面である。接続面５２は、左右の側面５１の下端部同士を接続して水栓本体部２１に沿って左右方向に延びるように配置される。左右の側面５１には、ステー４０との嵌合部として、上部嵌合部５３、爪部５４、および下部嵌合部５５が設けられる。上部嵌合部５３は、ステー４０の上部被嵌合部４２と嵌合し、爪部５４は、ステー４０の爪部４３と嵌合し、下部嵌合部５５は、ステー４０の下部被嵌合部４４と嵌合する。
【００１８】
次に、ステー４０の上部被嵌合部４２および第１カバー５０の上部嵌合部５３に関して、図３から図５を参照しながらより詳細に説明する。図４は、ステーと第１カバーの取り付け後の斜視図である。図５は、図４におけるＡ１部の拡大図である。
【００１９】
図３に示すように、ステー４０の左側上部には上部被嵌合部４２が形成される。上部被嵌合部４２は前方に突出した前方突出部４２ａを備える。前方突出部４２ａには上下方向に貫通する開口部４２ｂが形成される。一方、第１カバー５０の左側面の上部には上部嵌合部５３が設けられている。上部嵌合部５３は、左右方向の内側に突出した内側突出部５３ａを備える。内側突出部５３ａの先端部には上方に突出した突起部５３ｂが形成される。なお、本実施形態において、ステー４０、第１カバー５０および第２カバー６０の内側とは、これらの部材によって囲まれる水栓本体部２１が配置される領域へ向かう方向を示す。また、ステー４０、第１カバー５０および第２カバー６０の外側とは、水栓本体部２１が配置される領域から遠ざかる方向を示す。
【００２０】
突起部５３ｂが開口部４２ｂに挿入されることにより、第１カバー５０の上部嵌合部５３は、ステー４０の上部被嵌合部４２に嵌合する。これにより、図４と図５に示すように、上部嵌合部５３は上部被嵌合部４２によって前後方向および左右方向が囲まれた状態になり、第１カバー５０の前後方向および左右方向の移動が規制される。
【００２１】
次に、ステー４０の爪部４３および第１カバー５０の爪部５４に関して、図３と図６を参照しながらより詳細に説明する。図６は、図４におけるＡ１部の後方から見た拡大図である。
【００２２】
図３と図６に示すように、ステー４０の前方突出部４２ａには、左右方向の外側に向けて突出した爪部４３が連続して形成される。図６に示すように、爪部４３を形成する前方突出部４２ａの先端部分は、ステー４０の面とは間隔を空けて設けられた部分である。爪部４３を形成する前方突出部４２ａの部分は、左右方向に弾性変形可能である。一方で、第１カバー５０の左側面には、内側突出部５３ａよりも上部に、左右方向の内側に突出した爪部５４が形成される。
【００２３】
図６に示すように、第１カバー５０をステー４０に挿入した状態では、ステー４０の爪部４３が第１カバー５０の爪部５４の内側に配置される。爪部４３と爪部５４はスナップ式の嵌合を行い、上下方向に係り合った状態となる。これにより、第１カバー５０の下方向への移動を規制している。また爪部４３と爪部５４の下方においては、第１カバー５０の内側突出部５３ａとステー４０の前方突出部４２ａが当接しており、上下方向に係り合っている。これにより、第１カバー５０の上方向への移動を規制している。
【００２４】
次に、ステー４０の下部被嵌合部４４および第１カバー５０の下部嵌合部５５に関して、図３、図７および図８を参照しながらより詳細に説明する。図７は、図４におけるＡ２部の拡大図である。図８は、図４におけるＡ２部の下方から見た模式図である。
【００２５】
図３に示すように、第１カバー５０の左側面の下部および接続面５２の上面には、下部嵌合部５５が形成される。下部嵌合部５５は、左側面から左右方向の内側に突出した突起片である。ステー４０の左側の下部には、下部被嵌合部４４が形成される。図７と図８に示すように、下部被嵌合部４４は、ステー４０の前面から前方に突出した突起片受け部である。下部被嵌合部４４は、下部嵌合部５５の突起片を前後方向に挟めるように下面および左側面が開放した溝部を有する。ここで、ステー４０に対して第１カバー５０を取り付けた状態において、第１カバー５０の下部嵌合部５５がステー４０の下部被嵌合部４４の溝部に挿入される。このとき、下部嵌合部５５の前面Ａ（図８）が下部被嵌合部４４の内部における前面Ｂ（図８）に係り合う。これにより、ステー４０に対する第１カバー５０の前方向の移動が規制される。
【００２６】
図３に示すように、下部被嵌合部４４は、上部被嵌合部４２の開口部４２ｂよりも左右方向の内側に設けられている。ステー４０に対して第１カバー５０を下方から取り付ける際に、開口部４２ｂに対応する突起部５３ｂが上昇するが、突起部５３ｂは下部被嵌合部４４よりも左右方向の外側を通過可能となる。
【００２７】
上述した構成を有するステー４０と第１カバー５０の取り付け方法について説明する。
【００２８】
図３に示すように、壁に固定されたステー４０に対して、鉛直方向に沿って第１カバー５０を下方から上方へと移動させる。これにより、図４に示すように、ステー４０に第１カバー５０が取り付けられた状態となる。前述したように、開口部４２ｂに突起部５３ｂが挿入され、爪部４３と爪部５４が上下方向に係り合い、下部被嵌合部４４の中に下部嵌合部５５が配置された状態となる。
【００２９】
第１カバー５０の上部嵌合部５３が上方へ移動する際には、ステー４０の下部被嵌合部４４における左右方向の外側を通過する。上部嵌合部５３がさらに上昇すると、ステー４０の上部被嵌合部４２の開口部４２ｂに挿入される。上部嵌合部５３と上部被嵌合部４２との嵌合関係により、ステー４０に対する第１カバー５０の前後方向および左右方向の移動が規制された状態となる。下部被嵌合部４４が開口部４２ｂよりも左右方向の内側に配置されており、上部嵌合部５３の上昇の障害とならないため、上部嵌合部５３をスムーズに嵌合させることができる。
【００３０】
また、第１カバー５０の爪部５４がステー４０の爪部４３と係り合う際には、爪部５４によって爪部４３が左右方向の内側に向けて押されることで、弾性変形する。爪部５４をさらに上昇させると、爪部４３を超えて上方に移動し、爪部４３と上下方向に係り合う。このようにして、スナップ式の嵌合が行われる。このとき、前述したように、前方突出部４２ａと内側突出部５３ａが当接することにより（図６）、ステー４０に対する第１カバー５０の上下方向の移動が規制された状態となる。爪部４３と爪部５４が係り合った時点で、第１カバー５０の移動が完了する。
【００３１】
爪部４３と爪部５４が係り合った位置において、下部嵌合部５５は下部被嵌合部４４の中に配置された状態となる。これにより、ステー４０に対する第１カバー５０の前方向への移動が規制された状態となる。
【００３２】
以上から、第１カバー５０がステー４０に対して前後方向、左右方向および上下方向の全ての方向に移動するのを規制することができる。特に、上部における前後方向および左右方向に関しては、第１カバー５０の上部嵌合部５３とステー４０の上部被嵌合部４２が嵌合することで、移動規制を行うことができる。また、下部における前方向に関しては、第１カバー５０の下部嵌合部５５の前面Ａがステー４０の下部被嵌合部４４の内部における前面Ｂに係り合うことで、移動規制を行うことができる。また、上方向に関しては、第１カバー５０の内側突出部５３ａとステー４０の前方突出部４２ａが上下方向に係り合うことで、移動規制を行うことができる。また、下方向に関しては、第１カバー５０の爪部５４とステー４０の爪部４３が上下方向に係り合うことで、移動規制を行うことができる。
【００３３】
本実施形態の水栓１０によれば、水栓１０は、壁に固定されて水を吐水する水栓本体部２１と、水栓本体部２１を覆うカバー２３と、カバー２３を壁に固定するステー４０とを備える。カバー２３は、第１カバー５０と第２カバー６０を備える。第１カバー５０は、水栓本体部２１を挟んで対向するように配置される左右の側面５１と、左右の側面５１の下端部同士を接続して水栓本体部２１に沿って左右方向に延びるように配置される接続面５２とを有する。第２カバー６０は、水栓本体部２１を挟んで第１カバー５０と対向する位置に設けられ第１カバー５０とともに水栓本体部２１を覆う。カバー２３は第１カバー５０を介してステー４０に取り付け可能である。第１カバー５０の左右の側面５１は、接続面５２に接続される側と反対側の位置に、ステー４０との嵌合部（上部嵌合部５３）を備える。当該嵌合部がステー４０に設けられた被嵌合部（上部被嵌合部４２）に嵌まることで、ステー４０に対する第１カバー５０の前後方向および左右方向の移動規制を行う。
【００３４】
この構成によれば、上部嵌合部５３と上部被嵌合部４２により、ステー４０に対する第１カバー５０の前後方向および左右方向の移動規制が行われることで、第１カバー５０とステー４０の間および第１カバー５０と第２カバー６０の間に隙間が生じるのを防ぐことができる。特に、接続面５２に対向する側は開放されており、その部分の左右規制を行うことで、隙間が生じやすい部分の隙間を生じにくくすることができる。
【００３５】
また、本実施形態では前述したように、第１カバー５０の接続面５２は、左右の側面５１の下端部同士を接続する面であり、ステー４０との嵌合部は、左右の側面５１の上部に設けられた上部嵌合部５３である。
【００３６】
この構成によれば、第１カバー５０は上が開放された構造であるため、第１カバー５０の上部で左右方向に開きやすい。これに対して、上部嵌合部５３と上部被嵌合部４２の嵌合により、ステー４０に対する第１カバー５０の左右方向の移動を規制することで、第１カバー５０の上部に隙間ができることを抑制でき、第１カバー５０の上部から水などが入ることを抑制することができる。これにより、第１カバー５０の左右方向の内側に設けられた水栓本体部２１に汚れがつくのを抑制することができる。
【００３７】
また、本実施形態では、左右の側面５１の下部または接続面５２に、ステー４０との下部嵌合部５５が設けられる。下部嵌合部５５が、ステー４０に設けられた下部被嵌合部４４に嵌まることで、第１カバー５０の前後方向の移動規制を行う。
【００３８】
この構成によれば、第１カバー５０の下部が前後方向に移動するのを規制することで、第１カバー５０の上部と下部の両方において、前後方向の隙間が生じるのを抑制することができる。これにより、ステー４０に対して第１カバー５０をより強固に固定することができる。
【００３９】
また、本実施形態では、下部嵌合部５５は、左右方向に伸びる突起片を備え、ステー４０に設けられた下部被嵌合部４４は、突起片を前後方向に挟む溝部を形成した突起片受け部を備える。
【００４０】
この構成によれば、下部嵌合部５５に突起片を設け、ステー４０に突起片を前後方向に挟む溝部を形成した突起片受け部を設けることで、第１カバー５０の前後方向の移動規制を簡易な機構により実現することができる。
【００４１】
また、本実施形態では、上部嵌合部５３は、上方に突出する突起部５３ｂを備え、ステー４０の上部被嵌合部４２は、突起部５３ｂが挿入される開口部４２ｂを形成した突起受け部を備える。
【００４２】
この構成によれば、上部嵌合部５３に突起部５３ｂを設け、ステー４０に突起部５３ｂが挿入される開口部４２ｂを形成した突起受け部を設けることで、第１カバー５０の前後方向および左右方向の移動規制を簡易な機構により実現することができる。
【００４３】
また、本実施形態では、左右の側面５１とステー４０がスナップ式に固定され、第１カバー５０の上下方向の移動規制を行う。
【００４４】
この構成によれば、第１カバー５０の左右の側面５１とステー４０をスナップ式に固定することで、第１カバー５０の上下方向の移動規制を簡易な機構により行うことができる。
【００４５】
また、本実施形態では、第１カバー５０は、ステー４０の下方から上方に向かって、ステー４０に取り付けられる。
【００４６】
この構成によれば、第１カバー５０の上面は広く開放されており、ステー４０の下方から上方に向かって第１カバー５０をステー４０に取り付ける場合、水栓本体部２１が障害になりにくいため、第１カバー５０をステー４０に容易に取り付けることができる。
【００４７】
なお、本発明は前記実施形態に限定されるものではなく、その他種々の態様で実施できる。例えば、前記実施形態では、接続面５２は、左右の側面５１の下端部同士を接続し、嵌合部は、左右の側面５１の上部に設けられた上部嵌合部５３としたが、上下逆の形態であってもよい。つまり、接続面５２は、左右の側面５１の上端部同士を接続し、上部嵌合部５３に対応する嵌合部は、左右の側面５１の下部に設けられてもよい。このとき、ステー４０に対して第１カバー５０を上方から下方に向けてスライドさせることにより取り付け可能としてもよい。
【００４８】
また、上部被嵌合部４２と上部嵌合部５３に加えて、爪部４３と爪部５４、下部被嵌合部４４と下部嵌合部５５を設ける場合について説明したが、このような場合に限らず、爪部４３と爪部５４、下部被嵌合部４４と下部嵌合部５５は設けない場合であってもよい。このような場合であっても、上部被嵌合部４２と上部嵌合部５３により、前後方向および左右方向の移動を規制しているため、第１カバー５０に隙間が生じるのを効果的に抑制することができる。
【００４９】
また、上部被嵌合部４２と上部嵌合部５３の形態、および、下部被嵌合部４４と下部嵌合部５５の形態はそれぞれを溝と突起としたが、互いに嵌合するものであれば、任意の形態であってもよい。また、上部被嵌合部４２と上部嵌合部５３の形態、および、下部被嵌合部４４と下部嵌合部５５の形態は逆の形態であってもよい。すなわち、溝と突起の関係を逆の形態に変更してもよい。
【００５０】
また、爪部４３と爪部５４の形態は、図３などに示した構成に限らず、スナップ式で嵌合するものであれば任意の形態であってもよい。
【００５１】
また、下部嵌合部５５の前面Ａ（図８）が下部被嵌合部４４の内部における前面Ｂ（図８）に係り合い、ステー４０に対する第１カバー５０の前方向の移動が規制されるとしたが、下部嵌合部５５と下部被嵌合部４４により前後方向の移動規制を行ってもよい。
【００５２】
また、本実施形態の第１カバー５０およびステー４０において、上部、下部とは、それぞれ、本実施形態の第１カバー５０およびステー４０の上半分、下半分であってもよい。
【００５３】
本発明は、添付図面を参照しながら好ましい実施形態に関連して充分に記載されているが、この技術の熟練した人々にとっては種々の変形や修正は明白である。そのような変形や修正は、添付した特許請求の範囲による本発明の範囲から外れない限りにおいて、その中に含まれると理解されるべきである。また、実施形態における要素の組み合わせや順序の変化は、本発明の範囲および思想を逸脱することなく実現し得るものである。
【産業上の利用可能性】
【００５４】
本発明は、カバーの前後方向および左右方向の移動を規制することができるので、カバーに起因する隙間を抑制した水栓の製造に有用である。
【符号の説明】
【００５５】
１０  水栓
２０  水栓ユニット
２１  水栓本体部
２２ａ  吐水口
２２ｂ  吐水口
２３  カバー
３０  ハンドルユニット
４０  ステー
４１  開口部
４２  上部被嵌合部
４２ａ  前方突出部
４２ｂ  開口部
４３  爪部
４４  下部被嵌合部
５０  第１カバー
５１  左右の側面
５２  接続面
５３  上部嵌合部
５３ａ  内側突出部
５３ｂ  突起部
５４  爪部
５５  下部嵌合部
６０  第２カバー
【図１】
2018141339.tif 000003
【図２】
2018141339.tif 000004
【図３】
2018141339.tif 000005
【図４】
2018141339.tif 000006
【図５】
2018141339.tif 000007
【図６】
2018141339.tif 000008
【図７】
2018141339.tif 000009
【図８】
2018141339.tif 000010